(57)【要約】【課題】データ受信後のトラヒック集中を防止し、無線リソースを有効に利用すると共に、移動局の電力消費を低減する。【解決手段】無線制御装置３０は、データ送信のスケジュールに関するスケジュール情報を受信するスケジュール情報受信部３１と、スケジュール情報に基づいて、データ受信後に移動局が使用するセルの選択を実行するか否かを判断する選択実行判断部３２と、選択実行判断部３２による判断結果に応じて、データ受信後に使用するセルの選択を移動局に指示する選択実行指示部３３とを備える。【選択図】図４
2006135445.tif 000002
【特許請求の範囲】
【請求項１】
データ送信のスケジュールに関するスケジュール情報を受信するスケジュール情報受信部と、
前記スケジュール情報に基づいて、データ受信後に移動局が使用するセルの選択を実行するか否かを判断する選択実行判断部と、
該選択実行判断部による判断結果に応じて、前記データ受信後に使用するセルの選択を前記移動局に指示する選択実行指示部と
を備えることを特徴とする無線制御装置。
【請求項２】
前記選択実行判断部は、前記データ送信の間隔が閾値よりも短い場合には、前記セルの選択を実行しないと判断することを特徴とする請求項１に記載の無線制御装置。
【請求項３】
前記スケジュール情報は、ブロードキャスト、マルチキャスト、又は、下りパケット高速伝送方式の少なくとも１つにより行われる前記データ送信のスケジュール情報であることを特徴とする請求項１又は２に記載の無線制御装置。
【請求項４】
データ送信のスケジュールに関するスケジュール情報を受信するスケジュール情報受信部と、
前記スケジュール情報に基づいて、データ受信後に移動局に使用させるセルの選択を実行するか否かを判断する選択実行判断部と、
該選択実行判断部による判断結果に応じて、前記データ受信後に使用させるセルを選択するセル選択部と、
該セル選択部により選択されたセルを前記データ受信後に使用して無線通信を行うように前記移動局を制御する移動局制御部と
を備えることを特徴とする無線制御装置。
【請求項５】
前記選択実行判断部は、前記データ送信の間隔が閾値よりも短い場合には、前記セルの選択を実行しないと判断することを特徴とする請求項４に記載の無線制御装置。
【請求項６】
前記スケジュール情報は、ブロードキャスト、マルチキャスト、又は、下りパケット高速伝送方式の少なくとも１つにより行われる前記データ送信のスケジュール情報であることを特徴とする請求項４又は５に記載の無線制御装置。
【請求項７】
データ送信のスケジュールに関するスケジュール情報を決定するスケジュール情報管理部と、
前記スケジュール情報に基づいて、データ受信後に移動局が使用するセルの選択を実行するか否かを判断する選択実行判断部と、
該選択実行判断部による判断結果に応じて、前記データ受信後に使用するセルの選択を無線制御装置又は前記移動局に指示する選択実行指示部と
を備えることを特徴とするサーバ。
【請求項８】
前記選択実行判断部は、前記データ送信の間隔が閾値よりも短い場合には、前記セルの選択を実行しないと判断することを特徴とする請求項７に記載のサーバ。
【請求項９】
前記スケジュール情報は、ブロードキャスト、マルチキャスト、又は、下りパケット高速伝送方式の少なくとも１つにより行われる前記データ送信のスケジュール情報であることを特徴とする請求項７又は８に記載のサーバ。
【請求項１０】
前記スケジュール情報管理部は、前記スケジュール情報の履歴に基づいて、前記スケジュール情報を決定することを特徴とする請求項７乃至９のいずれか１項に記載のサーバ。
【請求項１１】
データ送信のスケジュールに関するスケジュール情報を受信し、
前記スケジュール情報に基づいて、データ受信後に移動局が使用するセルの選択を実行するか否かを判断し、
該判断結果に応じて、前記データ受信後に使用するセルの選択を前記移動局に指示することを特徴とする移動通信方法。
【請求項１２】
データ送信のスケジュールに関するスケジュール情報を受信し、
前記スケジュール情報に基づいて、データ受信後に移動局に使用させるセルの選択を実行するか否かを判断し、
該判断結果に応じて、前記データ受信後に使用させるセルを選択し、
該選択されたセルを前記データ受信後に使用して無線通信を行うように前記移動局を制御することを特徴とする移動通信方法。
【請求項１３】
データ送信のスケジュールに関するスケジュール情報を決定し、
前記スケジュール情報に基づいて、データ受信後に移動局が使用するセルの選択を実行するか否かを判断し、
該判断結果に応じて、前記データ受信後に使用するセルの選択を無線制御装置又は前記移動局に指示することを特徴とする移動通信方法。
【発明の詳細な説明】
【技術分野】
【０００１】
本発明は、無線制御装置、サーバ及び移動通信方法に関する。
【背景技術】
【０００２】
従来、マルチメディアコンテンツを複数の移動局にブロードキャスト又はマルチキャストにより送信するサービス（Multimedia Broadcast Multicast Service、以下「ＭＢＭＳ」という）が行われている（例えば、非特許文献１参照）。ＭＢＭＳでは、無線アクセスネットワーク（RAN：Radio  Access  Network）を介して、移動局にＭＢＭＳによるデータが送信される周波数を通知する。これにより、現在、ＭＢＭＳによるデータを受信していない移動局も、通知された周波数に周波数ハンドオーバを行い、ＭＢＭＳによるデータを受信できる。
【非特許文献１】3GPP TSG-RAN,“TS25.346 V6.1.0 Introduction of Multimedia broadcast multicast service(MBMS) in Radio access network (RAN) ”,2004年6月
【発明の開示】
【発明が解決しようとする課題】
【０００３】
しかしながら、ＭＢＭＳによるデータが送信される特定の周波数の使用を開始した移動局は、ＭＢＭＳによるデータの受信後も、その周波数の通信品質が劣化しない限り、その周波数に在圏し続けてしまう。そのため、特定の周波数にトラヒックが集中し、周波数間でトラヒックの偏りが生じてしまう。このような課題はＭＢＭＳに限られない。例えば、ＨＳＤＰＡ（High Speed Downlink Packet Access）等のように特定の周波数を用いて送信されるデータを移動局が受信する場合にも、同様の課題が起こり得る。このようにトラヒックが一部に集中することにより、無線リソースの利用に無駄が生じてしまう。
【０００４】
そこで、トラヒックを分散させるために、移動局がデータ受信後に使用する周波数を変更するようにしようとした場合、以下のような新たな課題を生じた。データ送信が一度終了し、周波数を変更した後に、変更前の周波数において直ぐに次のデータ送信が開始されると、移動局は、再度、変更前の周波数に戻る必要がある。このような無駄な周波数の変更により、移動局の電力消費が増大してしまう。
【０００５】
そこで、本発明は、データ受信後のトラヒック集中を防止し、無線リソースを有効に利用すると共に、移動局の電力消費を低減することを目的とする。
【課題を解決するための手段】
【０００６】
本発明に係る無線制御装置は、データ送信のスケジュールに関するスケジュール情報を受信するスケジュール情報受信部と、スケジュール情報に基づいて、データ受信後に移動局が使用するセルの選択を実行するか否かを判断する選択実行判断部と、選択実行判断部による判断結果に応じて、データ受信後に使用するセルの選択を移動局に指示する選択実行指示部とを備えることを特徴とする。
【０００７】
このような無線制御装置によれば、スケジュール情報を考慮して、移動局がデータ受信後に使用するセルを選択すべきか否かを判断し、選択すべき場合にだけ、データ受信後に使用するセルを移動局に選択させることができる。そのため、無線制御装置は、移動局が無駄にセルの選択を実行し、それによって無駄にセルの変更を行うことを防止できる。よって、無線制御装置は、データ受信後に移動局を複数のセルに分散させ、トラヒック集中を防止し、無線リソースを有効に利用することができる。しかも、無線制御装置は、移動局の電力消費を低減できる。
【０００８】
本発明に係る他の無線制御装置は、データ送信のスケジュールに関するスケジュール情報を受信するスケジュール情報受信部と、スケジュール情報に基づいて、データ受信後に移動局に使用させるセルの選択を実行するか否かを判断する選択実行判断部と、選択実行判断部による判断結果に応じて、データ受信後に使用させるセルを選択するセル選択部と、セル選択部により選択されたセルをデータ受信後に使用して無線通信を行うように移動局を制御する移動局制御部とを備えることを特徴とする。
【０００９】
このような無線制御装置によれば、スケジュール情報を考慮して、データ受信後に移動局に使用させるセルを選択すべきか否かを判断し、選択すべき場合にだけ、データ受信後に移動局に使用させるセルを選択することができる。そして、無線制御装置は、移動局に選択したセルを使用させることができる。そのため、無線制御装置は、無駄なセルの選択を実行することを防止でき、それによって移動局が無駄にセルの変更を行うことを防止できる。よって、無線制御装置は、データ受信後に移動局を複数のセルに分散させ、トラヒック集中を防止し、無線リソースを有効に利用することができる。しかも、無線制御装置は、移動局の電力消費を低減できる。
【００１０】
本発明に係るサーバは、データ送信のスケジュールに関するスケジュール情報を決定するスケジュール情報管理部と、スケジュール情報に基づいて、データ受信後に移動局が使用するセルの選択を実行するか否かを判断する選択実行判断部と、選択実行判断部による判断結果に応じて、データ受信後に使用するセルの選択を無線制御装置又は移動局に指示する選択実行指示部とを備えることを特徴とする。
【００１１】
このようなサーバによれば、スケジュール情報を決定し、決定したスケジュール情報を考慮して、移動局がデータ受信後に使用するセルを選択すべきか否かを判断できる。そして、サーバは、セルを選択すべき場合にだけ、データ受信後に移動局が使用するセルを、無線制御装置や移動局に選択させることができる。そのため、サーバは、無線制御装置や移動局が無駄にセルの選択を実行し、それによって移動局が無駄にセルの変更を行うことを防止できる。よって、サーバは、データ受信後に移動局を複数のセルに分散させ、トラヒック集中を防止し、無線リソースを有効に利用することができる。しかも、サーバは、移動局の電力消費を低減できる。
【００１２】
特に、選択実行判断部は、データ送信の間隔が閾値よりも短い場合には、セルの選択を実行しないと判断することが好ましい。これによれば、無線制御装置は、データ送信が一度終了した後に、直ぐに次のデータ送信が開始される場合に、移動局が無駄にセルを変更することを防止できる。よって、無線制御装置は、移動局の電力消費を適切に低減できる。
【００１３】
更に、スケジュール情報は、ブロードキャスト、マルチキャスト、又は、下りパケット高速伝送方式の少なくとも１つにより行われるデータ送信のスケジュール情報を用いることができる。これによれば、ブロードキャストやマルチキャスト、下りパケット高速伝送方式（ＨＳＤＰＡ：High Speed Downlink Packet Access）によるデータ送信のように、特定のセルに集中している移動局を分散させたい場合に、トラヒック集中を防止し、無線リソースを有効に利用することができ、しかも、移動局の電力消費を低減できる。
【００１４】
更に、スケジュール情報管理部は、スケジュール情報の履歴に基づいて、スケジュール情報を決定することができる。例えば、データ送信の間隔が短い状態が続くと、移動局は特定のセルに在圏し続けてしまうおそれがある。そのため、サーバは、これまでのスケジュール情報に基づいて、スケジュール情報を決定することにより、適切に移動局を複数のセルに分散させ、トラヒック集中を防止できる。
【００１５】
本発明に係る移動通信方法は、データ送信のスケジュールに関するスケジュール情報を受信し、スケジュール情報に基づいて、データ受信後に移動局が使用するセルの選択を実行するか否かを判断し、その判断結果に応じて、データ受信後に使用するセルの選択を移動局に指示することを特徴とする。
【００１６】
本発明に係る他の移動通信方法は、データ送信のスケジュールに関するスケジュール情報を受信し、スケジュール情報に基づいて、データ受信後に移動局に使用させるセルの選択を実行するか否かを判断し、その判断結果に応じて、データ受信後に使用させるセルを選択し、選択されたセルをデータ受信後に使用して無線通信を行うように移動局を制御することを特徴とする。
【００１７】
本発明に係る更に他の移動通信方法は、データ送信のスケジュールに関するスケジュール情報を決定し、スケジュール情報に基づいて、データ受信後に移動局が使用するセルの選択を実行するか否かを判断し、その判断結果に応じて、前記データ受信後に使用するセルの選択を無線制御装置又は前記移動局に指示することを特徴とする。
【発明の効果】
【００１８】
以上説明したように、本発明によれば、データ受信後のトラヒック集中を防止し、無線リソースを有効に利用すると共に、移動局の電力消費を低減することができる。
【発明を実施するための最良の形態】
【００１９】
〔第１の実施形態〕
（移動通信システム）
図１に示すように、移動通信システム１００は、移動局１０と、基地局２０と、無線制御装置３０と、コアネットワーク４０と、コンテンツサーバ５０とを備える。
【００２０】
コンテンツサーバ５０は、複数の移動局１０に、マルチメディアコンテンツ等を、ブロードキャスト又はマルチキャストにより送信するＭＢＭＳ（Multimedia Broadcast Multicast Service）等を行う。コンテンツサーバ５０は、コアネットワーク４０、無線制御装置３０、基地局２０を介して、複数の移動局１０に、マルチメディアコンテンツ等をブロードキャスト又はマルチキャストにより送信する。
【００２１】
無線制御装置３０は、基地局２０と移動局１０との間の無線通信を制御する。基地局２０と移動局１０は、無線制御装置３０の制御に従って無線通信を行う。移動局１０は、基地局２０を介して、無線制御装置３０やコンテンツサーバ５０とデータや制御信号を送受信する。
【００２２】
移動通信システム１００は、複数のエリアをカバーする。各エリアは、位置と周波数により、複数のセルに分割される。移動通信システム１００では、１つのエリアが複数の周波数により分割され、複数の周波数によるレイヤ構造となっている。周波数毎に分割されたエリアは、更に位置により分割され、複数のセルが構成される。このように、セルは、周波数や位置によって分割された通信領域をいう。
【００２３】
ＭＢＭＳを行う移動通信システム１００では、ＦＬＣ処理（Frequency Layer Convergence処理）を行う。ＦＬＣ処理とは、移動局１０にＭＢＭＳによるデータが送信される周波数（以下「ターゲット周波数」という）を通知し、移動局１０にターゲット周波数でＭＢＭＳによるデータを受信させる処理である。ＦＬＣ処理は、無線制御装置３０が、基地局２０を介して移動局１０に制御信号を送信することにより行われる。具体的には、無線制御装置３０は、ＬＣＩ（Layer Convergence Information）と呼ばれる制御信号を移動局１０に送信することにより、ターゲット周波数を移動局１０に通知する。ＬＣＩは、ターゲット周波数と、現在移動局１０が使用している周波数（以下「使用周波数」という）とのオフセット値を含む。
【００２４】
ＦＬＣ処理について、図２，３を用いて詳細に説明する。図２，３には、４つの周波数、ＦＡ１〜ＦＡ４により分割されたセル１０１〜１０４を示す。図示を省略しているが、各周波数ＦＡ１〜ＦＡ４には位置が異なる複数のセルが存在する。
【００２５】
ＭＢＭＳによるデータ送信前は、図２に示すように、各周波数ＦＡ１〜ＦＡ４のセル１０１〜１０４に、移動局１０が在圏している。周波数ＦＡ４を用いてＭＢＭＳによるデータを送信する場合、無線制御装置３０は、基地局２０を介して移動局１０にターゲット周波数ＦＡ４を通知する。無線制御装置３０は、基地局２０を介して、各周波数ＦＡ１〜ＦＡ４におけるＭＣＣＨ（MBMS Control CHannel）により、ターゲット周波数ＦＡ４を通知する。ＭＣＣＨは、ＭＢＭＳに関する制御信号を送信する報知チャネルである。例えば、セル１０３に在圏する移動局１０には、ターゲット周波数ＦＡ４と使用周波数ＦＡ３とのオフセット値を含むＬＣＩが送信され、ターゲット周波数が移動局１０に通知される。
【００２６】
ＭＢＭＳによるデータを受信したい移動局１０（図２において点線で囲まれている移動局）は、ＭＣＣＨにより送信されるＬＣＩを受信する。そして、移動局１０は、ターゲット周波数ＦＡ４に周波数ハンドオーバする。即ち、移動局１０は、周波数ＦＡ４のセル１０４をカバーする基地局２０に接続し、周波数ＦＡ４を用いて無線通信を開始する。周波数ハンドオーバの結果、図３に示すように、ＭＢＭＳによるデータの受信を希望する移動局１０は、周波数ＦＡ４のセル１０４に移動する。そして、移動局１０は、ＭＢＭＳにより提供されるデータを周波数ＦＡ４を用いて受信する。
【００２７】
（無線制御装置）
次に、無線制御装置３０についてより詳細に説明する。図４に示すように無線制御装置３０は、スケジュール情報受信部３１と、選択実行判断部３２と、選択実行指示部３３とを備える。
【００２８】
スケジュール情報受信部３１は、データ送信のスケジュールに関するスケジュール情報を受信する。スケジュール情報には、データ送信の時刻（以下「送信時刻」という）、データ送信の間隔（以下「送信間隔」という）、データ送信の期間（以下「送信期間」という）等がある。送信時刻には、データ送信の開始時刻や、データ送信の終了時刻等がある。
【００２９】
例えば、スケジュール情報には、コンテンツサーバ５０が行うデータ送信の開始時刻と終了時刻を規定した「セッション１（Session1）：12時00分00秒から12時01分00秒」、「セッション２（Session2）：12時0１分01秒から12時02分00秒」等がある。又、スケジュール情報には、コンテンツサーバ５０が行うデータ送信の送信間隔「セッション１（Session1）とセッション２（Session2）との間隔：３秒」等がある。更に、スケジュール情報には、コンテンツサーバ５０が行うデータ送信の開始時刻と送信期間を規定した「セッション１（Session1）：12時00分00秒から、１分間」、「セッション２（Session2）：12時0１分01秒から、１分間」等がある。
【００３０】
例えば、スケジュール情報には、ブロードキャスト、マルチキャスト、又は、下りパケット高速伝送方式の少なくとも１つにより行われるデータ送信のスケジュール情報がある。
【００３１】
スケジュール情報受信部３１は、コアネットワーク４０を介してコンテンツサーバ５０からスケジュール情報を受信できる。あるいは、コアネットワーク４０に、スケジュール情報を管理する管理サーバを設けることができる。この場合には、スケジュール情報受信部３１は、コアネットワーク４０に設置された管理サーバからスケジュール情報を受信できる。スケジュール情報受信部３１は、受信したスケジュール情報を選択実行判断部３２に入力する。
【００３２】
選択実行判断部３２は、スケジュール情報に基づいて、データ受信後に移動局１０が使用するセルの選択を実行するか否かを判断する。選択実行判断部３２は、例えば、スケジュール情報に基づいて、データ受信後に行われる次のデータ送信までの時間が短い場合には、セルの選択を実行しないと判断できる。一方、選択実行判断部３２は、次のデータ送信までの時間が十分長い場合には、セルの選択を実行すると判断する。
【００３３】
選択実行判断部３２は、例えば、データ送信の間隔が閾値よりも短い場合には、セルの選択を実行しないと判断することができる。この場合、選択実行判断部３２は、閾値を自ら設定してもよく、スケジュール情報受信部３１が、スケジュール情報と共に受信したものを用いてもよい。
【００３４】
閾値は、新たなセルを選択しても、直ぐに変更前のセルに戻る必要が生じず、セル選択が無駄にならない送信間隔を設定できる。よって、閾値は、その閾値よりも短い場合には、セルを選択しても直ぐに変更前のセルに戻る必要が生じ、セル選択が無駄になってしまい、その閾値以上であれば、セル選択が無駄にならない送信間隔となる。
【００３５】
選択実行判断部３２は、受信したスケジュール情報と閾値とを比較する。選択実行判断部３２は、スケジュール情報として送信間隔を受信した場合には、受信した送信間隔と閾値とを比較する。選択実行判断部３２は、スケジュール情報として送信時刻や送信期間を受信した場合には、まず、送信時刻や送信期間を用いて送信間隔を算出する。そして、選択実行判断部３２は、算出した送信間隔と閾値とを比較する。
【００３６】
例えば、閾値が２秒に設定されている場合、選択実行判断部３２は、受信したセッション１とセッション２の送信間隔と閾値２秒を比較する。選択実行判断部３２は、受信した送信間隔が１秒であり、閾値２秒よりも短い場合には、セルの選択を実行しないと判断する。一方、選択実行判断部３２は、受信した送信間隔が３秒であり、閾値２秒以上の場合には、セルの選択を実行すると判断する。
【００３７】
又、選択実行判断部３２は、上記したセッション１の送信時刻「12時00分00秒から12時01分00秒」の送信終了時刻「12時01分00秒」と、セッション２の送信時刻「12時0１分01秒から12時02分00秒」の送信開始時刻「12時0１分01」との差を求め、送信間隔「１秒」を算出する。
【００３８】
あるいは、選択実行判断部３２は、上記したセッション１の送信開始時刻「12時00分00秒」に送信期間「１分間」を加算し、送信終了時刻を求める。選択実行判断部３２は、求めた送信終了時刻とセッション２の送信開始時刻「12時0１分01秒」との差を求め、送信間隔「１秒」を算出する。
【００３９】
選択実行判断部３２は、算出した送信間隔１秒と閾値２秒を比較し、送信間隔が閾値よりも短いため、セルの選択を実行しないと判断する。一方。選択実行判断部３２は、算出した送信間隔が３秒であり、閾値２秒以上であった場合には、セルの選択を実行すると判断する。
【００４０】
又、選択実行判断部３２は、スケジュール情報に基づいてセルの選択を実行すると判断した後、更に、セルにおける無線リソースの使用状況、セルに在圏する移動局数、移動局１０によるセルの使用履歴、セルにおける伝搬路状態、又は、セルにおける通信品質の少なくとも１つに基づいて、セルの選択を実行するか否かを判断してもよい。
【００４１】
セルの使用履歴には、例えば、移動局１０がこれまでにデータを送受信してきたセルや現在データを送受信しているセル、移動局１０がこれまでに待ち受けを行ってきたセルや現在待ち受けを行っているセルにおける在圏時間や在圏頻度、セルの使用順番、データ送受信時刻や在圏時刻等がある。
【００４２】
例えば、選択実行判断部３２は、既に無線リソースが均等に利用されている場合や移動局１０が均一に分散している場合には、セルの選択を実行しないと判断できる。一方、選択実行判断部３２は、無線リソースの利用状況が偏っている場合や、移動局１０が一部に集中して在圏している場合には、セルの選択を実行すると判断する。これによれば、無線制御装置３０は、既に無線リソースが均等に利用されている場合や移動局１０が均一に分散している場合等、移動局１０がデータ受信後に使用するセルを新たに選択する必要がない場合に、セルの選択を無駄に実行することを防止できる。
【００４３】
又、選択実行判断部３２は、例えば、データ受信前とデータ受信中で在圏するセルが変化していない移動局や、在圏時間や在圏頻度の高いセルに在圏する移動局、伝搬路状態や通信品質が良好なセルに在圏する移動局については、セルの選択を実行しないと判断できる。一方、選択実行判断部３２は、データ受信前とデータ受信中で在圏するセルが変化している移動局や、在圏時間や在圏頻度の低いセルに在圏する移動局、伝搬路状態や通信品質が劣化しているセルに在圏する移動局については、セルの選択を実行すると判断できる。これによれば、無線制御装置３０は、全ての移動局１０にセルの選択を実行させるのではなく、データ受信後に使用するセルを新たに選択する必要がない移動局についてはセルの選択を防止し、新たに選択する必要がある移動局についてだけセルの選択をさせることができる。
【００４４】
このように、選択実行判断部３２は、移動通信システム１００全体の状況から選択を実行するか否かを判断してもよく、個々の移動局１０の状況から移動局１０毎に選択を実行するか否かを判断してもよい。
【００４５】
選択実行判断部３２は、移動局１０によるセルの使用履歴、セルにおける無線リソースの使用状況、セルに在圏する移動局数、セルにおける伝搬路状態、又は、セルにおける通信品質等を基地局２０に要求し、通知してもらうことができる。
【００４６】
選択実行判断部３２は、ブロードキャストにより送信されたデータの受信後、マルチキャストにより送信されたデータの受信後、又は、下りパケット高速伝送方式により送信されたデータの受信後の少なくとも１つにおいて移動局１０が使用するセルの選択を実行するか否かを判断することが好ましい。
【００４７】
これによれば、無線制御装置３０は、ブロードキャスト送信やマルチキャスト送信、下りパケット高速伝送方式（ＨＳＤＰＡ）によるデータの送信のように、特定の周波数を用いて送信されるデータや特定の位置に存在する移動局１０に送信されるデータを受信し、特定の周波数や位置に集中している移動局を、周波数や位置が異なるセルに分散させたい場合に、効率的にトラヒック集中を防止し、無線リソースを有効に利用することができる。選択実行判断部３２は、判断結果を選択実行指示部３３に入力する。
【００４８】
選択実行指示部３３は、選択実行判断部３２による判断結果に応じて、データ受信後に使用するセルの選択を移動局１０に指示する。選択実行指示部３３は、選択実行判断部３２から判断結果を取得する。選択実行指示部３３は、判断結果が選択を実行することを示す場合には、移動局１０に選択を指示する。一方、選択実行指示部３３は、判断結果が選択を実行しないことを示す場合には、移動局１０に選択を指示しない。
【００４９】
選択実行指示部３３は、セルの選択を移動局１０に指示する選択指示を含む制御信号を作成し、移動局１０に送信する。選択実行指示部３３は、例えば、移動局１０毎に個別の個別チャネル、複数の移動局１０に共通の共通チャネル、報知チャネル等の無線チャネルにより送信される制御信号であって、選択指示を含む制御信号を作成する。
【００５０】
選択実行指示部３３は、例えば、図５（ａ）に示すように選択指示１ａを含むＭＣＣＨ信号１を作成できる。ＭＣＣＨ信号１は、ＭＣＣＨにより送信されるＭＢＭＳに関する制御信号である。又、選択実行指示部３３は、図５（ｂ）に示すように選択指示１ａを含むＢＣＣＨ信号２を作成してもよい。ＢＣＣＨ信号２は、ＢＣＣＨ（Broadcast Control CHannel）と呼ばれる制御チャネルにより送信される制御信号である。あるいは、選択実行指示部３３は、ＨＳＤＰＡにおける制御チャネルにより送信される選択指示を含む制御信号を作成してもよい。
【００５１】
選択実行指示部３３は、作成した制御信号を該当する無線チャネルにマッピングし、移動局１０に送信する。選択実行指示部３３は、選択指示を含む制御信号を、データ受信前の待ち受け中、データ受信中、又は、データ受信後のいずれかのタイミングで移動局１０に送信し、選択を移動局１０に指示する。このように選択実行指示部３３は、選択指示を含む制御信号を移動局１０に送信することにより、移動局１０にセルの選択を容易に指示できる。
【００５２】
移動局１０は、無線制御装置３０の指示に従ってセルを選択する。例えば、図３に示したように、移動局１０は、セル１０４においてＭＢＭＳにより提供されるデータを周波数ＦＡ４を用いて受信する。移動局１０は、ＭＢＭＳによるデータ受信後に使用するセルとして、例えば、セル１０３を選択した場合、周波数ＦＡ３への周波数ハンドオーバを行う。即ち、移動局１０は、周波数ＦＡ３のセル１０３をカバーする基地局２０に接続し、周波数ＦＡ３を用いて無線通信を開始する。例えば、移動局１０は、選択したセルを使用して、データ受信後に、待ち受けを開始、あるいは、新たなデータの送受信を開始する。
【００５３】
これにより、例えば、図６に示すように、ＭＢＭＳによるデータ受信後、いくつかの移動局１０（図６において点線で囲まれている移動局）が、セル１０４からセル１０３やセル１０１を使用することにより、分散することができる。移動局１０は、図６に示すように、１つのセルにトラフィックが集中せずに、各セルに分散するように、移動局１０がデータ受信後に使用するセルを選択できる。
【００５４】
（移動通信方法）
次に、移動通信システム１００における移動通信方法について説明する。図７に、無線制御装置３０の動作手順を示す。無線制御装置３０は、データ送信のスケジュール情報を、例えば、コンテンツサーバ５０から受信する（Ｓ１０１）。無線制御装置３０は、受信したスケジュール情報に基づいて、データ受信後に移動局１０が使用するセルの選択を実行するか否かを判断する（Ｓ１０２）。
【００５５】
そして、選択を実行すると判断した場合、無線制御装置３０は、選択指示を含む制御信号を作成する（Ｓ１０３）。無線制御装置３０は、作成した制御信号を基地局２０を介して移動局１０に送信する（Ｓ１０４）。一方、ステップ（Ｓ１０２）において、選択を実行しないと判断した場合、無線制御装置３０は、選択指示を含む制御信号を作成せずに、処理を終了する。
【００５６】
（効果）
このような移動通信システム１００、無線制御装置３０及び移動通信方法によれば、無線制御装置３０は、スケジュール情報を考慮して、移動局１０がデータ受信後に使用するセルを選択すべきか否かを判断し、選択すべき場合にだけ、データ受信後に使用するセルを移動局１０に選択させることができる。そのため、無線制御装置３０は、移動局１０が無駄にセルの選択を実行し、それによって無駄にセルの変更を行うことを防止できる。
【００５７】
よって、無線制御装置３０は、データ受信後に移動局１０を複数のセルに分散させ、トラヒック集中を防止し、無線リソースを有効に利用することができる。  例えば、ＭＢＭＳによるデータの受信やＨＳＤＰＡによるデータの受信のように、特定の周波数を用いて送信されるデータや特定の位置に存在する移動局に送信されるデータを移動局１０が受信する場合に、特定の周波数や位置に集中している移動局１０を、データ受信後に、周波数や位置が異なるセルにできるだけ均等に、効率的に分散させることができる。
【００５８】
しかも、無線制御装置３０は、移動局１０の電力消費を低減できる。即ち、データ受信後に使用するセルを移動局１０が選択することによって、トラヒック集中を防止することができるが、データ送信の送信間隔が短い場合には、一度、データ送信（例えば、ＭＢＭＳセッション等）が終了し、新たにセルを選択し、選択したセルで待ち受けを開始したところ、直ぐに次のデータ送信が開始されてしまうおそれがある。この場合、移動局１０は、選択前のセル（周波数）に戻る必要があり、無駄なセル選択や、セルの変更回数が増えてしまう。その結果、移動局１０の消費電力の増大を招いてしまう。しかし、無線制御装置３０によれば、スケジュール情報を考慮して、受信後にセルを選択するか否かを判断できるため、移動局の電池消費を低減することができる。
【００５９】
又、無線制御装置３０は、新たにセルを選択することにより、次に送信されるデータの受信に影響を与えるおそれがある場合に、セルの選択を実行することを防止できるといった効果も得ることができる。
【００６０】
〔第２の実施形態〕
（コンテンツサーバ）
本実施形態では、図１に示す移動通信システム１００において、図８に示すコンテンツサーバ５０を用いる。コンテンツサーバ５０は、図８に示すように、スケジュール情報管理部５１と、選択実行判断部５２と、選択実行指示部５３と、データ送信部５４と、コンテンツデータベース５５とを備える。
【００６１】
コンテンツデータベース５５は、コンテンツサーバ５０が送信するデータ（コンテンツ）を保持する。データ送信部５４は、コンテンツデータベース５５からデータ（コンテンツ）を取得し、コアネットワーク４０、無線制御装置３０、基地局２０を介して、移動局１０にデータを送信する。データ送信部５４は、スケジュール情報管理部５１の制御に従って、ブロードキャスト、マルチキャスト、又は、下りパケット高速伝送方式などにより、データを移動局１０に送信する。
【００６２】
スケジュール情報管理部５１は、データ送信のスケジュールに関するスケジュール情報を決定する。スケジュール情報管理部５１は、例えば、ブロードキャスト、マルチキャスト、又は、下りパケット高速伝送方式の少なくとも１つにより行われるデータ送信のスケジュール情報を決定する。
【００６３】
スケジュール情報管理部５１は、スケジュール情報の履歴、送信データの内容、データ送信部５４の処理能力や負荷状況等に基づいてスケジュール情報を決定できる。
【００６４】
例えば、送信間隔が短い状態が続くと、移動局は特定のセルに在圏し続けてしまうおそれがある。そのため、スケジュール情報管理部５１は、これまでの送信間隔に基づいて、短い送信間隔が、所定期間又は所定回数続いた後は、送信間隔が長くなるようにスケジュール情報を決定できる。このように、コンテンツサーバ５０は、これまでのスケジュール情報に基づいて、スケジュール情報を決定することにより、適切に移動局を複数のセルに分散させ、トラヒック集中を防止できる。スケジュール情報管理部５１は、決定したスケジュール情報を履歴として記憶しておき、スケジュール情報の決定に使用できる。
【００６５】
スケジュール情報管理部５１は、送信データに関する情報をコンテンツデータベース５５から取得する。スケジュール情報管理部５１は、データ送信部５４の処理能力や負荷状況を、データ送信部５４から検出する。
【００６６】
スケジュール情報管理部５１は、上記したようなデータ送信の開始時刻や終了時刻等の送信時刻、送信間隔、送信期間等を、データ毎に決定する。
【００６７】
スケジュール情報管理部５１は、決定したスケジュール情報を選択実行判断部５２に入力する。スケジュール情報管理部５１は、決定したスケジュール情報に従ってデータ送信を行うようデータ送信部５４を制御する。更に、スケジュール情報管理部５１は、決定したスケジュール情報を無線制御装置３０や移動局１０に送信するように、データ送信部５４に指示してもよい。この場合、データ送信部５４は、スケジュール情報を、コアネットワーク４０を介して、無線制御装置３０や移動局１０に送信できる。
【００６８】
あるいは、コアネットワーク４０に、スケジュール情報を管理する管理サーバが設けられている場合には、スケジュール情報管理部５１は、決定したスケジュール情報を管理サーバに送信するようにデータ送信部５４に指示してもよい。この場合、データ送信部５４はスケジュール情報を管理サーバに送信する。
【００６９】
選択実行判断部５２は、スケジュール情報管理部５１からスケジュール情報を取得する。選択実行判断部５２は、スケジュール情報に基づいて、データ受信後に移動局１０が使用するセルの選択を実行するか否かを判断する。選択実行判断部５２は、図４に示した選択実行判断部３２と同様にして、セル選択実行の可否を判断できる。選択実行判断部５２は、判断結果を選択実行指示部５３に入力する。
【００７０】
選択実行指示部５３は、選択実行判断部５２による判断結果に応じて、データ受信後に使用するセルの選択を無線制御装置３０又は移動局１０に指示する。選択実行指示部５３は、選択実行判断部５２から判断結果を取得する。選択実行指示部５３は、判断結果が選択を実行することを示す場合には、無線制御装置３０又は移動局１０に選択を指示する。一方、選択実行指示部５３は、判断結果が選択を実行しないことを示す場合には、無線制御装置３０又は移動局１０に選択を指示しない。
【００７１】
選択実行指示部５３は、セルの選択を無線制御装置３０や移動局１０に指示する選択指示を含む制御信号を作成し、無線制御装置３０や移動局１０に送信する。選択実行指示部５３は、コアネットワーク４０を介して無線制御装置３０に制御信号を送信する。又、選択実行指示部５３は、コアネットワーク４０、無線制御装置３０、基地局２０を介して、移動局１０に制御信号を送信する。
【００７２】
選択実行指示部５３は、選択指示を含む制御信号を、移動局１０がデータ受信前の待ち受け中、データ受信中、又は、データ受信後のいずれかのタイミングで送信し、選択を無線制御装置３０又は移動局１０に指示できる。
【００７３】
無線制御装置３０は、移動局１０への選択指示を含む制御信号を受信した場合、移動局１０に制御信号を転送する。そして、移動局１０が、コンテンツサーバ５０の指示に従って、セルを選択する。無線制御装置３０は、無線制御装置３０自身への選択指示を含む制御信号を受信した場合、コンテンツサーバ５０の指示に従って、セルを選択する。そして、無線制御装置３０は、選択したセルを移動局１０に通知する。
【００７４】
（移動通信方法）
次に、図８に示したコンテンツサーバ５０を用いた移動通信方法について説明する。図９に、コンテンツサーバ５０の動作手順を示す。コンテンツサーバ５０は、データ送信のスケジュール情報を決定する（Ｓ２０１）。コンテンツサーバ５０は、決定したスケジュール情報に基づいて、データ受信後に移動局１０が使用するセルの選択を実行するか否かを判断する（Ｓ２０２）。
【００７５】
そして、選択を実行すると判断した場合、コンテンツサーバ５０は、選択指示を含む制御信号を作成する（Ｓ２０３）。コンテンツサーバ５０は、作成した制御信号を無線制御装置３０又は移動局１０に送信する（Ｓ２０４）。一方、ステップ（Ｓ２０２）において、選択を実行しないと判断した場合、コンテンツサーバ５０は、選択指示を含む制御信号を作成せずに、処理を終了する。
【００７６】
（効果）
このようなコンテンツサーバ５０、コンテンツサーバ５０を用いた移動通信システム１００及び移動通信方法によれば、コンテンツサーバ５０は、スケジュール情報を決定し、決定したスケジュール情報を考慮して、移動局１０がデータ受信後に使用するセルを選択すべきか否かを判断できる。そして、コンテンツサーバ５０は、選択すべき場合にだけ、データ受信後に移動局１０が使用するセルを、無線制御装置３０や移動局１０に選択させることができる。そのため、コンテンツサーバ５０は、無線制御装置３０や移動局１０が無駄にセルの選択を実行し、それによって移動局１０が無駄にセルの変更を行うことを防止できる。よって、コンテンツサーバ５０は、データ受信後に移動局１０を複数のセルに分散させ、トラヒック集中を防止し、無線リソースを有効に利用することができる。
【００７７】
しかも、コンテンツサーバ５０は、移動局１０の電力消費を低減できる。又、コンテンツサーバ５０は、新たにセルを選択することにより、次に送信されるデータの受信に影響を与えるおそれがある場合に、セルの選択を実行することを防止できるといった効果も得ることができる。
【００７８】
〔第３の実施形態〕
（無線制御装置）
本実施形態では、図１に示す移動通信システム１００において、図１０に示す無線制御装置２３０を用いる。図１０に示すように、無線制御装置２３０は、スケジュール情報受信部３１と、選択実行判断部３２と、セル選択部３４と、移動局制御部３５とを備える。図４に示す無線制御装置３０と実質的に同様の構成については、同一の符号を付してここでは説明を省略する。
【００７９】
選択実行判断部３２は、判断結果をセル選択部３４に入力する。セル選択部３４は、選択実行判断部３２による判断結果に応じて、データ受信後に使用させるセルを選択する。セル選択部３４は、選択実行判断部３２から判断結果を取得する。セル選択部３４は、判断結果が選択を実行することを示す場合にはセルの選択を実行する。一方、セル選択部３４は、判断結果が選択を実行しないことを示す場合には、セルの選択を実行しない。
【００８０】
セル選択部３４は、ブロードキャスト送信によるデータの受信後、マルチキャスト送信によるデータの受信後、又は、下りパケット高速伝送方式により送信されるデータの受信後の少なくとも１つにおいて、移動局１０に使用させるセルを選択することが好ましい。これによれば、無線制御装置２３０は、ブロードキャスト送信やマルチキャスト送信、下りパケット高速伝送方式（ＨＳＤＰＡ）によるデータの送信のように、特定の周波数を用いて送信されるデータや特定の位置に存在する移動局に送信されるデータを受信し、特定の周波数や位置に集中している移動局を、周波数や位置が異なるセルに分散させることができる。
【００８１】
セル選択部３４は、複数のセルの中から、データ受信後に移動局１０に使用させるセルを選択する。例えば、セル選択部３４は、現在移動局１０が使用しているセルと同じ周波数であって位置が隣接するセル、同じ位置であって周波数が異なるセル、異なる周波数であって位置が隣接するセル等の中から選択できる。
【００８２】
セル選択部３４は、例えば、移動局１０によるセルの使用履歴、セルにおける無線リソースの使用状況、セルに在圏する移動局数、セルにおける伝搬路状態、移動局１０がデータ受信時に使用するセルに隣接するセルに関する情報（以下「隣接セル情報」という）、又は、セルにおける通信品質の少なくとも１つに基づいて、データ受信後のセルを選択することができる。これによれば、無線制御装置２３０は、これらの情報を考慮してより適切に移動局１０を分散させることができ、無線リソースをより有効に利用できる。セル選択部３４は、ランダムにセルを選択することもできる。これによれば、無線制御装置２３０は、制御負荷を軽減できる。
【００８３】
セル選択部３４は、セルの使用履歴に基づいてセルを選択する場合、移動局１０がデータ受信の直前に在圏し、使用していたセルを、データ受信後に使用させるセルとして選択することが好ましい。これによれば、無線制御装置２３０は、移動局１０をデータ受信の直前に使用していたセルに戻すことができる。又、セル選択部３４は、在圏時間や在圏頻度の高いセルを選択することもできる。
【００８４】
セル選択部３４は、移動局１０によるセルの使用履歴、セルにおける無線リソースの使用状況、セルに在圏する移動局数、セルにおける伝搬路状態、又は、セルにおける通信品質等を、基地局２０に要求し、通知してもらうことができる。又、セル選択部３４は、移動局１０のセルの使用履歴から、移動局１０がデータ受信時に使用するセルを判断し、隣接セル情報を得ることができる。
【００８５】
セル選択部３４は、１つのセルを選択してもよく、複数のセルを候補として選択してもよい。セル選択部３４は、複数のセルを選択する場合には、使用する優先順位を設定してもよい。例えば、セル選択部３４は、移動局１０によるセルの使用履歴、セルにおける無線リソースの使用状況、セルに在圏する移動局数、セルにおける伝搬路状態、隣接セル情報、又は、セルにおける通信品質の少なくとも１つに基づいて優先順位を設定できる。
【００８６】
又、セル選択部３４は、ランダムに優先順位を設定してもよい。例えば、セル選択部３４は、移動局１０が使用可能な周波数のセルの中からランダムに第１選択候補を決定し、そのセルに最も高い優先順位を設定することができる。セル選択部３４は、第２選択候補以降も同様にランダムに決定していき、順番にセルに優先順位を設定していくことができる。
【００８７】
更に、セル選択部３４は、移動局１０に固有の識別子を用い、以下に示す（１）式の計算値を用いて優先順位を設定してもよい。  
移動局の識別子  ｍｏｄＮ                          （１）式
（但し、Ｎ＝移動局が使用可能なセルの数）
移動局１０に固有の識別子としては、例えば、ＩＭＳＩ（International Mobile Subscriber Identity）等を用いることができる。セル選択部３４は、（１）式の計算値と、セルを識別する識別子（セルＩＤ）との対応表を予め保持しておく。そして、セル選択部３４は、（１）式を計算し、その計算値に基づいて対応表を参照して、計算値に対応するセルＩＤのセルを選択する。
【００８８】
又、セル選択部３４は、複数の移動局１０について、データ受信後に使用させるセルを選択し、選択したセルにそのセルを使用すべき移動局の割合（以下「移動局割合」という）を設定することができる。例えば、セル選択部３４は、セル１０１の移動局割合を４０％、セル１０２の移動局割合を２０％、セル１０３の移動局割合を３０％、セル１０４の移動局割合を１０％に設定できる。セル選択部３４は、例えば、無線リソースに多くの空きがある、在圏する移動局数が少ない、伝搬路状態が良好である、通信品質が良好であるといった多くの移動局に使用させたいセルの移動局割合を高くできる。一方、セル選択部３４は、例えば、無線リソースの空きが少ない、在圏する移動局数が多い、伝搬路状態や通信品質が悪いといった少数の移動局しか使用できない状況にあるセルの移動局割合を低くできる。
【００８９】
これによれば、無線制御装置２３０は、多くの移動局に使用させたいセルを多くの移動局に使用させることができ、少数の移動局しか使用できない状況にあるセルを使用する移動局の数を抑えることができる。よって、無線制御装置２３０は、移動局１０を適切に分散させることができる。
【００９０】
セル選択部３４は、移動局１０毎にセルを選択してもよく、特定の移動局のグループ単位で共通のセルを選択してもよく、ＭＢＭＳにより送信されるデータやＨＳＤＰＡにより送信されるデータを受信していた全ての移動局に共通のセルを選択してもよい。
【００９１】
セル選択部３４は、選択したセルに関する情報（以下「選択セル情報」という）を、移動局制御部３５に入力する。選択セル情報としては、例えば、セルを識別する識別子（セルＩＤ）、セルをカバーする基地局の識別子（基地局ＩＤ）、セルにおける信号を受信するための制御情報、セルの周波数、セルの位置情報等を用いることができる。これらの情報を単独で用いてもよく、複数組み合わせてもよい。セルの周波数は、例えば、選択したセルの周波数の絶対値（２．０ＧＨｚ等）や、選択したセルの周波数の相対値（選択したセルの周波数の使用周波数からのオフセット値等）を用いることができる。更に、選択セル情報には、優先順位や移動局割合等を含めることができる。
【００９２】
移動局制御部３５は、セル選択部３４により選択されたセルをデータ受信後に使用して無線通信を行うように移動局１０を制御する。移動局制御部３５は、選択されたセルを移動局１０に通知する制御信号を作成し、移動局１０に送信する。このようにして、移動局制御部３５は、選択されたセルを移動局１０に通知し、移動局１０を制御する。
【００９３】
移動局制御部３５は、セル選択部３４から取得した選択セル情報を用いて制御信号を作成する。移動局制御部３５は、例えば、移動局１０毎に個別の個別チャネル、複数の移動局１０に共通の共通チャネル、報知チャネル等の無線チャネルにより送信される制御信号であって、選択セル情報を含む制御信号を作成する。
【００９４】
移動局制御部３５は、例えば、図１１（ａ）に示すように選択セル情報２０１ａを含むＭＣＣＨ信号２０１を作成できる。又、移動局制御部３５は、図１１（ｂ）に示すように選択セル情報２０１ａを含むＢＣＣＨ信号２０２を作成してもよい。あるいは、移動局制御部３５は、ＨＳＤＰＡにおける制御チャネルにより送信される選択セル情報を含む制御信号を作成してもよい。
【００９５】
移動局制御部３５は、作成した制御信号を該当する無線チャネルにマッピングし、移動局１０に送信する。移動局制御部３５は、選択セル情報を含む制御信号を、データ受信前の待ち受け中、データ受信中、又は、データ受信後のいずれかのタイミングで移動局１０に送信し、選択セル情報を移動局１０に通知する。このように移動局制御部３５は、データ受信後に使用すべきセルに関する選択セル情報を含む制御信号を移動局１０に送信することにより、データ受信後に選択したセルを使用するように移動局１０を容易に制御できる。
【００９６】
（移動通信方法）
次に、図１０に示した無線制御装置２３０を用いた移動通信方法について説明する。図１２に、無線制御装置２３０の動作手順を示す。無線制御装置２３０は、例えば、コンテンツサーバ５０から、データ送信のスケジュール情報を受信する（Ｓ３０１）。無線制御装置２３０は、受信したスケジュール情報に基づいて、データ受信後に移動局１０が使用するセルの選択を実行するか否かを判断する（Ｓ３０２）。
【００９７】
そして、選択を実行すると判断した場合、無線制御装置２３０は、データ受信後に移動局１０に使用させるセルを選択する（Ｓ３０３）。無線制御装置２３０は、選択セル情報を含む制御信号を作成する（Ｓ３０４）。無線制御装置２３０は、作成した制御信号を、基地局２０を介して移動局１０に送信する（Ｓ３０５）。一方、ステップ（Ｓ３０２）において、選択を実行しないと判断した場合、無線制御装置２３０は、セル選択を行わずに、処理を終了する。
【００９８】
（効果）
このような無線制御装置２３０、無線制御装置２３０を用いた移動通信システム１００及び移動通信方法によれば、無線制御装置２３０は、スケジュール情報を考慮して、データ受信後に移動局１０に使用させるセルを選択すべきか否かを判断し、選択すべき場合にだけ、データ受信後に移動局１０に使用させるセルを選択することができる。そして、無線制御装置２３０は、移動局１０に選択したセルを使用させることができる。そのため、無線制御装置２３０は、無駄なセルの選択を実行することを防止でき、それによって移動局１０が無駄にセルの変更を行うことを防止できる。よって、無線制御装置２３０は、データ受信後に移動局１０を複数のセルに分散させ、トラヒック集中を防止し、無線リソースを有効に利用することができる。
【００９９】
しかも、無線制御装置２３０は、移動局の電力消費を低減できる。又、無線制御装置２３０は、新たにセルを選択することにより、次に送信されるデータの受信に影響を与えるおそれがある場合に、セルの選択を実行することを防止できるといった効果も得ることができる。
【０１００】
〔変更例〕
本発明は上記実施形態に限定されるものではなく、種々の変更が可能である。図８では、コンテンツサーバ５０が、スケジュール情報管理部５１と、選択実行判断部５２と、選択実行指示部５３を備えているが、これらの機能をコンテンツサーバ５０と、コアネットワーク４０に設けられる管理サーバとが分担して備えてもよい。即ち、コンテンツサーバ５０と管理サーバが協動することにより、スケジュール情報管理部５１と、選択実行判断部５２と、選択実行指示部５３を備えたサーバとして機能してもよい。例えば、コンテンツサーバ５０がスケジュール情報管理部５１を備え、管理サーバが選択実行判断部５２と選択実行指示部５３を備えてもよい。あるいは、スケジュール情報管理部５１と、選択実行判断部５２と、選択実行指示部５３を備えた管理サーバをコアネットワーク４０に設けてもよい。
【０１０１】
更に、コンテンツサーバ５０や管理サーバのスケジュール情報管理部５１が、セル選択実行の可否判断に用いる送信間隔の閾値を設定し、無線制御装置３０，２３０に通知するようにしてもよい。
【図面の簡単な説明】
【０１０２】
【図１】本発明の第１の実施形態に係る移動通信システムの構成を示す図である。
【図２】本発明の第１の実施形態に係る周波数ハンドオーバ前の状態を示す図である。
【図３】本発明の第１の実施形態に係る周波数ハンドオーバ後の状態を示す図である。
【図４】本発明の第１の実施形態に係る無線制御装置の構成を示すブロック図である。
【図５】本発明の第１の実施形態に係るＭＣＣＨ信号、ＢＣＣＨ信号を示す図である。
【図６】本発明の第１の実施形態に係るデータ受信後の状態を示す図である。
【図７】本発明の第１の実施形態に係る移動通信方法の手順を示すフロー図である。
【図８】本発明の第２の実施形態に係るコンテンツサーバの構成を示すブロック図である。
【図９】本発明の第２の実施形態に係る移動通信方法の手順を示すフロー図である。
【図１０】本発明の第３の実施形態に係る無線制御装置の構成を示すブロック図である。
【図１１】本発明の第３の実施形態に係るＭＣＣＨ信号、ＢＣＣＨ信号を示す図である。
【図１２】本発明の第３の実施形態に係る移動通信方法の手順を示すフロー図である。
【符号の説明】
【０１０３】
１０…移動局
２０…基地局
３０，２３０…無線制御装置
３１…スケジュール情報受信部
３２…選択実行判断部
３３…選択実行指示部
３４…セル選択部
３５…移動局制御部
４０…コアネットワーク
５０…コンテンツサーバ
５１…スケジュール情報管理部
５２…選択実行判断部
５３…選択実行指示部
５４…データ送信部
５５…コンテンツデータベース
１００…移動通信システム
【図１】
2006135445.tif 000003
【図２】
2006135445.tif 000004
【図３】
2006135445.tif 000005
【図４】
2006135445.tif 000006
【図５】
2006135445.tif 000007
【図６】
2006135445.tif 000008
【図７】
2006135445.tif 000009
【図８】
2006135445.tif 000010
【図９】
2006135445.tif 000011
【図１０】
2006135445.tif 000012
【図１１】
2006135445.tif 000013
【図１２】
2006135445.tif 000014